【手続補正書】
【提出日】平成20年2月21日(2008.2.21)
【手続補正１】
【補正対象書類名】特許請求の範囲
【補正対象項目名】全文
【補正方法】変更
【補正の内容】
【特許請求の範囲】
【請求項１】
情報処理装置に組み込まれる装置であって、
前記情報処理装置で実行されるソフトウエアが、当該情報処理装置が具備する上位機としての処理能力を下位機としての処理能力に変更することを要求するものかどうかを、前記ソフトウエアに含まれる、当該ソフトウエアが上位機用のものか又は下位機用のものかを識別するためのデータから判定する判定手段と、
前記ソフトウエアが下位機用のものであると判定された場合に、前記ソフトウエアについて事前又は事後的に供給される、前記情報処理装置の前記下位機としての処理能力を変更するための変更パラメータであって、予め前記情報処理装置に用意されているか事後的に前記情報処理装置に装着されたものかによって、その読み取り順に優先度がつけられている複数種類の記録媒体のいずれかから読み取った変更パラメータにより特定される範囲内で前記情報処理装置の前記下位機としての処理能力を変更させる調整手段と、
を備えてなる、エミュレート装置。
【請求項２】
前記調整手段は、事後的に前記情報処理装置に装着されたものである記録媒体を優先的に読み取って、読み取った変更パラメータにより特定される範囲内で前記情報処理装置の前記下位機としての処理能力を変更させる、請求項１記載のエミュレート装置。
【請求項３】
情報処理装置に組み込まれる装置であって、
前記情報処理装置で実行されるソフトウエアが、当該情報処理装置が具備する上位機としての処理能力を下位機としての処理能力に変更することを要求するものかどうかを、前記ソフトウエアに含まれる、当該ソフトウエアが上位機用のものか又は下位機用のものかを識別するためのデータから判定する判定手段と、
前記ソフトウエアが下位機用のものであると判定されたときは、当該情報処理装置の機能構成を前記下位機用の構成に変更させ、更に前記下位機種用の構成に変更された情報処理装置において実行される特定処理の処理能力の調整を、前記ソフトウエアについて事前又は事後的に供給される変更パラメータであって、予め前記情報処理装置に用意されているか事後的に前記情報処理装置に装着されたものかによって、その読み取り順に優先度がつけられている複数種類の記録媒体のいずれかから読み取った変更パラメータにより特定される範囲内で当該特定処理の前記下位機種としての処理能力を前記読み取られた変更パラメータに対応する処理能力に変更させることで行う調整手段と、
を備えてなる、エミュレート装置。
【請求項４】
前記調整手段は、事後的に前記情報処理装置に装着されたものである記録媒体を優先的に読み取って、読み取った変更パラメータにより特定される範囲内で前記情報処理装置の前記下位機としての処理能力を変更させる、請求項３記載のエミュレート装置。
【請求項５】
実行されるソフトウエアが自装置が具備する上位機としての処理能力の変更を下位機としての処理能力に変更することを要求するものかどうかを、前記ソフトウエアに含まれる、当該ソフトウエアが上位機用のものか又は下位機用のものであるかを識別するためのデータから判定する手段と、前記ソフトウエアが下位機用のものであると判定されたときは、自装置の処理能力を下位機としての処理能力を前記下位機としての処理能力に変更する手段を備えた情報処理装置に組み込まれるエミュレート部品であって、
当該情報処理装置上に、予め所定の記録媒体に記録されている第１変更パラメータと、事後的に装着される書換不能な記録媒体に記録されている第２変更パラメータと、のいずれかを選択的に読み取り、読み取ったパラメータにより特定される範囲内で前記情報処理装置の前記下位機としての前記処理能力を変更する手段を形成させる、
エミュレート部品。
【請求項６】
前記処理能力を変更する手段は、事後的に前記情報処理装置に装着されたものである記録媒体を優先的に読み取って、読み取った変更パラメータにより特定される範囲内で前記情報処理装置の前記下位機としての処理能力を変更させる、請求項５記載のエミュレート部品。
【請求項７】
実行されるソフトウエアが自装置が具備する上位機としての処理能力を下位機としての処理能力にの変更することを要求するものかどうかを、前記ソフトウエアに含まれる、当該ソフトウエアが上位機用のものか又は下位機用のものかを識別するためのデータから判定する判定手段と、
前記ソフトウエアが下位機用のものであると判定された場合に、前記ソフトウエアについて事前又は事後的に供給される、前記情報処理装置の前記下位機としての処理能力を変更するための変更パラメータであって、予め前記情報処理装置に用意されているか事後的に前記情報処理装置に装着されたものかによって、その読み取り順に優先度がつけられている複数種類の記録媒体のいずれかから読み取った変更パラメータにより特定される範囲内で前記情報処理装置の前記下位機としての処理能力を変更させる調整手段とを組み込んでなる、
情報処理装置。
【請求項８】
前記調整手段は、事後的に前記情報処理装置に装着されたものである記録媒体を優先的に読み取って、読み取った変更パラメータにより特定される範囲内で前記情報処理装置の前記下位機としての処理能力を変更させる、請求項７記載の情報処理装置。
【請求項９】
情報処理装置において実行される方法であって、
前記情報処理装置が、
前記情報処理装置に読みとられるソフトウエアが、当該情報処理装置が具備する上位機としての処理能力を下位機としての処理能力に変更することを要求するものかどうかを、前記ソフトウエアに含まれる、当該ソフトウエアが上位機用のものか又は下位機用のものかを識別するためのデータから判定する過程と、
前記ソフトウエアが下位機用のものであると判定された場合に、当該ソフトウエアについて事前又は事後的に供給される、前記情報処理装置の前記下位機としての処理能力を変更するための変更パラメータであって、予め前記情報処理装置に用意されているか事後的に前記情報処理装置に装着されたものかによって、その読み取り順に優先度がつけられている複数種類の記録媒体のいずれかから読み取った変更パラメータにより特定される範囲内で前記情報処理装置の前記下位機としての処理能力を変更させる過程と、
を実行することを含む、
ソフトウエアのエミュレーション方法。
【請求項１０】
情報処理装置に、下記の処理を実行させるためのプログラムが記録されている、前記情報処理装置が読み取り可能な記録媒体。
（１）前記情報処理装置で実行されるソフトウエアが、当該情報処理装置が具備する上位機としての処理能力を下位機としての処理能力に変更することを要求するものかどうかを、前記ソフトウエアに含まれる、当該ソフトウエアが上位機用のものか又は下位機用のものかを識別するためのデータから判定する処理、
（２）前記ソフトウエアが下位機用のものであると判定された場合に、前記ソフトウエアについて事前又は事後的に供給される、前記情報処理装置の前記下位機としての処理能力を変更するための変更パラメータであって、予め前記情報処理装置に用意されているか事後的に前記情報処理装置に装着されたものかによって、その読み取り順に優先度がつけられている複数種類の記録媒体のいずれかから読み取った変更パラメータにより特定される範囲内で前記情報処理装置の前記下位機としての処理能力を変更させる処理。
【請求項１１】
情報処理装置に、下記の処理を実行させるためのプログラム。
（１）前記情報処理装置で実行されるソフトウエアが、当該情報処理装置が具備する上位機としての処理能力を下位機としての処理能力に変更することを要求するものかどうかを、前記ソフトウエアに含まれる、当該ソフトウエアが上位機用のものか又は下位機用のものかを識別するためのデータから判定する処理、
（２）前記ソフトウエアが下位機用のものであると判定された場合に、前記ソフトウエアについて事前又は事後的に供給される、前記情報処理装置の前記下位機としての処理能力を変更するための変更パラメータであって、予め前記情報処理装置に用意されているか事後的に前記情報処理装置に装着されたものかによって、その読み取り順に優先度がつけられている複数種類の記録媒体のいずれかから読み取った変更パラメータにより特定される範囲内で前記情報処理装置の前記下位機としての処理能力を変更させる処理。
【手続補正２】
【補正対象書類名】明細書
【補正対象項目名】００２６
【補正方法】変更
【補正の内容】
【００２６】
以上の構成において、上位機の電源投入、あるいは上位機が備えるリセットスイッチ３２０の押下検知を契機に、電源コントロール／リセットＩＣ３１０が、ＲＥＳＥＴ・ＩＮ信号をアサートする。電源コントロール／リセットＩＣ３１０は、すべての電源が立ち上がって、所定時間が経過すると、ＲＥＳＥＴ・ＩＮ信号をネゲートする。リセット制御回路３３０は、ＲＥＳＥＴ・ＩＮ信号がアサートされると、ＯＲ回路３４０、３５０に対する信号（ＣＴＬ１、ＣＴＬ２）をアサートする。そして、所定時間経過後、まず、ＯＲ回路３５０に対する信号（ＣＴＬ２）をネゲートする。これによりＩＯＰ１２０、ＳＰＵ１４０に供給されているＲＥＳＥＴ信号（ＲＥＳＥＴ２）がネゲートされる。その後、ＯＲ回路３４０に対する信号（ＣＴＬ１）をネゲートする。これにより、ＭＰＵ１００、ＧＰ１１０に供給されているＲＥＳＥＴ信号（ＲＥＳＥＴ１）がネゲートされる。このようにＲＥＳＥＴ信号の解除のタイミングをＭＰＵ１００等とＩＯＰ１２０等とでずらしているのは、ＩＯＰ１２０がある程度確実に動作を開始してから、ＭＰＵ１００、ＧＰ１１０が動作を開始するようにするためである。